(57)【特許請求の範囲】
【請求項１】
３００ヘルツから３５０ヘルツの比較的高い基本周波数を含み、かつ高い倍音域となるほど音圧が弱まるような倍音構造を備えた基本音を生成する基本音生成手段と、
前記基本音についてほぼ１オクターブの範囲の連続的なイントネーション変化を与えて変化音とする変化音生成手段と
前記基本音生成手段に空気を送る送風手段でなる起動手段と
を備えており、
前記起動手段により、前記基本音生成手段及び前記変化音生成手段が起動されて、マザリーズ類似音を生成する構成であるとともに、
前記基本音生成手段は、前記送風手段によって送られる送風により、前記所定の基本周波数に対応して振動するシート状の振動体と、共鳴手段とを備えることにより前記基本音を生成するようにされ、
前記変化音生成手段は、前記起動手段の動きに対応して、前記シート状の振動体の張力を変化させる手段を備えることにより、前記変化音を生成する構成とした
ことを特徴とする、マザリーズ類似音生成装置。
【請求項２】
前記共鳴手段は、人の声道に対応した長さと柔軟性を持つ共鳴空間を有することを特徴とする、請求項１に記載のマザリーズ類似音生成装置。
【発明の詳細な説明】
【０００１】
【発明の属する技術分野】
この発明は、例えば、０歳児，特に月齢１０か月程度までの乳児が、特に関心を示す音声としてのマザリーズと類似した音を生成するためのマザリーズ類似音生成装置に関するものである。
【０００２】
【従来の技術】
従来、乳児のための音刺激をともなう玩具としては、玩具の笛や太鼓等が広く使用されている。
ところで、近年、乳児が注意をむけたり、聞き入ったりする音を通じてその感性の傾向が研究されてきている。
【０００３】
すなわち、月齢１０か月程度までの乳児は、この時期特有の母親による語りかけの特徴としての連続変化する音刺激に関しては、このような乳児が特に関心を示すものが明らかになりつつあり、このような音刺激の特徴は、その育児者の音声の音声の特徴から、「マザリーズ」と呼ばれている。
【０００４】
【発明が解決しようとする課題】
しかしながら、従来の笛や太鼓等の音を出す玩具では、特に乳児の発達段階に対応して、その関心をひく点については、特に考慮されていない。このため、上述のようなマザリーズに類似した音を生成することにより、乳児に適切な聴覚刺激を与えて、その関心の傾向にあわせた外部からのはたらきかけを行うことができる玩具等はこれまで着想すらされていなかった。
さらに、乳児の言語能力の発達過程と音声刺激との関係において、その発達を促進するように、適切な選択された音声を生成して、音声刺激を与えるような手段も工夫されていない。
【０００５】
本発明は、このような問題を解決するためになされたもので、特に乳児の関心をひくことができるマザリーズに類似した音を、乳児の動作との関係で生成してその言語発達の過程を適切に促進できるマザリーズ類似音生成装置を提供することを目的としている。
【０００６】
【課題を解決するための手段】
上記目的は、請求項１の発明にあっては、３００ヘルツから３５０ヘルツの比較的高い基本周波数を含み、かつ高い倍音域となるほど音圧が弱まるような倍音構造を備えた基本音を生成する基本音生成手段と、前記基本音についてほぼ１オクターブの範囲の連続的なイントネーション変化を与えて変化音とする変化音生成手段と前記基本音生成手段に空気を送る送風手段でなる起動手段とを備えており、前記起動手段により、前記基本音生成手段及び前記変化音生成手段が起動されて、マザリーズ類似音を生成する構成であるとともに、前記基本音生成手段は、前記送風手段によって送られる送風により、前記所定の基本周波数に対応して振動するシート状の振動体と、共鳴手段とを備えることにより前記基本音を生成するようにされ、前記変化音生成手段は、前記起動手段の動きに対応して、前記シート状の振動体の張力を変化させる手段を備えることにより、前記変化音を生成する構成としたマザリーズ類似音生成装置により、達成される。
【０００７】
請求項１の構成によれば、基本音生成手段においては、所定の基本周波数を含む基本音が生成され、変化音生成手段で一定の範囲変化する変化音を発生する。この発明では、上記基本音が変化音とされることで、マザリーズ類似音とされる。変化音は、周波数が上昇するもの、あるいは下降するもの、あるいは上昇と下降の両方の要素を含んでもよい。
この基本音生成手段及び前記変化音生成手段は、起動手段により起動されるようになっている。そして、起動手段は、使用者の腕を中心とした上半身のリズミカルな動きにより動作するようになっている。この「リズミカルな動き」とは、以下のような乳児特有の動作を意味する。
【０００８】
すなわち、乳児における生後７ないし１０か月頃には、「基準喃語」と言われる特徴ある音声が発せられるようになる。喃語とは、言語を話す以前の段階にある乳児の音声の総称であり、基準喃語とは、それ以前の時期に発せられる音声と、第１に「子音及び母音」を含む点で、第２に複数の音節を含む点で区別される。このような特徴とする有するため、基準喃語は音声言語と共通していることから、乳児による基準喃語の発声は、乳児の音声発達過程との関係で重要な音声と位置づけられている。そして、この基準喃語の出現の時期は乳児によるリズミカルな運動のピーク期との同時性，すなわち発達的関連が認められる。このリズミカルな運動とは、乳児特有の動作であり、手足をリズミカルに揺らす運動や、手を上下に一，二回強く振ったり、何かをバンと叩く動作（バンギング）等である。
【０００９】
基準喃語はそれ以前の過渡期の喃語と比べて、複雑な音声構成を備えており、声帯や口腔，舌，口といった音声の発生に係る多くの部位を複雑に動かすことが必要となる。このため、過渡期の喃語を発生している段階は、このような発声器官のコントロールがまだ十分にできない時期に相当し、７ないし１０か月程度の乳児では、身体運動をうまくコントロールできず、身体の運動と、このような発声に係わる各部位の動きとが同期してしまうことが見られる。つまり、手足をバタバタ動かしながら、「アー，アー，」と発声してしまう。そして、身体の運動のコントロール機能がより発達し、より複雑な基準喃語を発声できる頃には、この音声の発声と手足をリズミカルに動かす動作との同期は見られなくなるのである。
【００１０】
本発明者は、このような点に注目し、使用者である乳児の上を中心とした上半身のリズミカルな動きにより、マザリーズ類似音を生成する構成としたものである。
すなわち、使用者が喃語を発声するのと同期して身体上半身を使ったリズミカルな運動をして、これにより、マザリーズの類似音が生成されると、その音に関心を示し、その音を生成するための行為と喃語の発声と、上半身のリズミカルな運動とを同期させて繰り返すといった一連の気に入った遊びを形成することができる。特に、乳幼児は自分の行った行為の結果に興味を感じると、その行為を繰り返す特徴があり、これにより、喃語発声が促進されて、言語発達に役立てることができる。
【００１５】
請求項２の発明は、請求項１の構成において、前記共鳴手段は、人の声道に対応した長さと柔軟性をもつ共鳴空間を有することを特徴とする。
【００１６】
請求項２の構成によれば、前記発音手段の音に対して、人の声道に対応した伝達特性により共鳴させることによって、特定の倍音構造の音を生成することができる。
【００１９】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、マザリーズ類似音生成装置の第１の実施形態の全体を示す概略斜視図である。
図１において、マザリーズ類似音生成装置１０は、ほぼ箱状の本体１１と、この本体１１の一側から延長された筒状の共鳴手段１２と、上記本体１１の上に配置された起動手段としての送風手段１３とを備えており、また、本体１１内部の共鳴手段１２の前段には基本音生成手段１４と、変化音生成手段とが設けられている。
【００２１】
この実施形態のマザリーズ類似音生成装置１０は以上のような概略構成を備えているが、その詳しい構成を説明する前に、先ず、マザリーズについて説明する。
図７は、乳児に母親等の育児者が話しかける際の音声等に対応したマザリーズを示すオシロ波形であり、具体的には、母親が乳児に対して、「おいしーねー」と語りかけた時のものである。図８は、その基本周波数特性についてプロットしたグラフであり、図９は、図８の音声に関して、その音圧、すなわち音の大きさをプロットしたグラフである。
【００２２】
特に、図８で示されているように、その基本周波数は、ほぼ２００ヘルツ〜５００ヘルツの範囲の属する音声であり、比較的高いピッチ（周波数）で示されている。（基本音）。
【００２３】
そして、図８及び図９にて示されているように、この周波数は０．４秒から１．０秒と比較的短い音長の中で、変化する変化音であり、ほぼ１オクターブ以内の範囲で変化している。
【００２４】
さらに、図１０及び図１１を参照すると、マザリーズの倍音構造が理解される。すなわち、この音声は、図１０に示すように、図８に対応したＳ１の音声だけでなく、同様の変化を示す２倍音Ｓ２，３倍音Ｓ３・・・Ｓ５といった倍音構造となっている。ここで、この音声は倍音構造をもっているが、せいぜい、Ｓ４，Ｓ５程度までであり、響きすぎる音声ではない。尚、図１１は、図１０の周波数スケールを変えて示したグラフであり、基本音Ｓ１の様子と、その倍音の状態が理解されやすくするための図である。また、図１２は、図９のデータを処理してなだらかな変化を示すようにしたグラフである。
【００２５】
また、図１３ないし図１４は、人間の音声としてのマザリーズの倍音構造の特徴を説明するための図である。
これらの図において、横軸は右に向かって周波数が高くなっており、縦軸は音圧をｄＢで示している。
図１３は、音声の音源波スペクトルを示しており、図示されているように、沢山の倍音を有し、倍音の音圧は、そのピークとピークを結ぶ線（Ｐ−Ｐ線）が曲線を描いて下降している。図１において、最も音圧が大きい音が、所定の高い周波数となるようにした音が、本発明の基本音となり、後述の実施形態では、例えば基本音生成手段１４で実現される。
【００２６】
図１４は「ア」の音を出した時の人の声道の伝達関数に基づく伝達特性を模式的に示したものであり、開放空間の伝達関数を示す図１５と比較すると、特徴的なのは、一定の間隔を置いた倍音の音圧が強められていることである。この結果、図１３の基本音の音声のスペクトルは、図１４の伝達特性によって、図１６に示すようになる。すなわち、その倍音構造は、周波数が高まる一定の間隔毎の倍音の音圧のピークを結んだＰ−Ｐ線は、図１３に示されたものと同様に曲線を描いて下降する合成音となる。このような音を基準音と呼ぶこととし、このような特性は、後述する実施形態における共鳴手段１２により実現される。
【００２７】
以上を前提として、本実施形態ではマザリーズ類似音を生成する場合、次のような特徴を備えている音としたものである。
（１）マザリーズは、高いピッチ、すなわち高い基本周波数（基本周波数＝Ｆ０）を備えた音声で、キーが高い音声であり、その周波数は、だいたい３００Ｈｚから３５０Ｈｚ程度である。
（２）マザリーズは、倍音構造を有しており、したがって、響きのある音声である。このため、本実施形態では、マザリーズ類似音を生成するため、上述の（１）の条件とこの倍音の条件により、基本音を生成する。ただし、この倍音は、あまり高音域が強調されると、響き過ぎる音となって、「やさしい声」でなくなるおそれがある。このため、特に、この基本音を変化させて、高倍音域となるほど、曲線的に音圧が弱まるような、図１６に示す特性を有する基準音とするようにしている。
（３）また、マザリーズは、音声の高低差が大きく、基本周波数が変化する音声であり、抑揚（イントネーション）に富んだ音である。本実施形態では、これを「変化音」と呼び、後述する変化音生成手段で実現している。ただし、その変化は、１オクターブ以内であることが好ましく、これを越えると、「やさしい声」でなくなるおそれがある。
【００２８】
次に、このような特徴を有するマザリーズ類似音を生成するための構成の一例としてのマザリーズ類似音生成装置１０の構成をさらに説明する。
このマザリーズ類似音生成装置１０は、マザリーズ類似音を機械的な手法により生成するための装置であり、マザリーズが上述のように乳児の育児者である母親等の音声であることから、人間の発声機能を参考に構成している。
【００２９】
すなわち、上記した本体１１及び起動手段としての送風手段１３は、特に、使用者である乳児の上半身のリズミカルな動きにより起動されるようになっている。例えば、図２及び図３に示すように、本体１１の上部に送風手段１３が取り付けられており、上から下に手の力がかかった時にマザリーズ類似音が発声されるように構成されている。使用者の手Ｈを上下に動かすような、手を上下に一，二回強く振ったり、何かをバンと叩く動作である「バンギング」により本体１１内に空気を送りだすようになっている。この場合、使用者である乳児が座った状態で「バンギング」を行うことを考えると、本体１１を置いた載置面からの高さが１０センチメートルないし２５センチメートル程度に起動手段としての送風手段１３が配置されることが好ましい。
【００３０】
送風手段１３は、人間の肺が空気を送りだす機能にならって構成されている。また、基本音生成手段１４は、後述するように、人間の声帯を参考とした機械的構成により形成したものであるが、特に、基本音に対応した基本周波数を有することを条件として、図１３の音源波スペクトルとほぼ一致する音を生成するように設定されている。そして、共鳴手段１２は、人間の音声が共鳴する口腔や鼻腔、咽頭が含まれる声道に対応している。そのためには、例えば筒のような閉塞した空間で、その断面積が音をだしている時に変化しないようにし、この空間少なくとも内壁を、ゴム，合成ゴム，合成樹脂等の柔軟な材料で形成している。そして、共鳴空間の長さを基本周波数との関係において、図１４及び図１６で説明した特性の音を生成するために設定し、例えば、１２センチメートル程度にしている。
【００３１】
図１ないし図３に示されているように、本体１１は、例えば木製であり、送風手段１３により送りだされる空気が収容される内部空間ＳＰ１を有する筐体である。
この本体１１の上部には開口が形成されており、送風手段１３が接続されている。この送風手段１３は、例えばビニール材等の柔軟な材料で形成された蛇腹であって、この蛇腹の開放された下端は、図示されているように、本体１１の内部空間ＳＰ１に連続しており、図において上下方向に配置されて、図３の矢印方向にバンギング動作で押し込むことで縮まるようになっている。
【００３２】
本体１１の一側面には、開口部１１ａが設けられており、この開口部１１ａに臨んで基本音生成手段１４が形成されている。この基本音生成手段１４は、いわば人口声帯である。
基本音生成手段１４は、前記開口部１１ａに取付けられる支持体１５と、この支持体１９に所定の張力により固定されるシート状の振動体１８とを有している。
【００３３】
この基本音生成手段１４は、図４乃至図６に詳しく示されている。
図４は、基本音生成手段１４の支持体１５概略斜視図、図５は支持体１５の概略断面図、図６は、基本音生成手段１４の概略斜視図である。
先ず、図６に示すように、基本音生成手段１４の支持体１５は、ほぼ正方形のプレート１５ａと、このプレート１５ａを貫いて組み合わせられた短い筒状部１５ｂを備えている。この筒状部１５ｂは、図５に示すように、先端に向かって徐々に縮幅した通気孔１５ｃを有している。この通気孔１５ｃは、図４の手前側に示すように、入り口付近で縦に延びる棒状部１５ｄで左右に分離されて分離開口１５ｅ，１５ｆを形成している。
【００３４】
このような構成の支持体１５は、図６に示すように、本体１１内部に配置されている。すなわち、本体１１の開口１１ａに支持体１５の上述した筒状部１５ｂの先端側が挿入されて、通気孔１５ｃは、筒状の共鳴手段１２と連通されることで通風孔を形成している。そして、本体１１の内部では、図６に示されているように、支持体１５の両側に、平行な筒状の２本のパイプ１６，１６が立設されている。このパイプ１６，１６には、ほぼ門型もしくは逆Ｕ字状の移動支持枠１７の両平行部が挿通されている。
【００３５】
この支持枠１７の両平行部は水平な上端部１７ｂにより一体に接続されており、この水平な上端部１７ｂには、シート状の振動体１８の上端が固定されている。このシート状の振動体１８は、このましくは弾性材料、例えば、塩化ビニル，シリコン，エラストマー等により形成されており、幅方向に中心付近で支持体１５の縦に延びる棒状部１５ｄにより左右に分離されている。シート状の振動体１８は、人間の声帯に近似した柔軟性を有し、このシート状の振動体１８の下端部は、本体１１の内側底部に固定されている。これにより、シート状の振動体１８は、支持体１５との間で、僅かな隙間を設けるようにして、上記開口１５ｅ，１５ｆを塞ぐようにして、所定のテンションを有するようにされている。
【００３６】
このシート状の振動体１８に関連して、変化音生成手段としての周波数の変化手段２１が設けられている。周波数の変化手段２１は移動支持枠１７の移動構造により実現されており、本実施形態では、周波数を上昇させる変化を生じる構成である。
移動支持枠１７は、その両平行部の下端側１７ａ，１７ａが図１ないし図３に示すように、本体１１の底部を貫通して底面に露出しており、端部と底面との間にコイルスプリング１９を介在させて配置されている。これにより、コイルスプリング１９は両平行部の下端側１７ａ，１７ａを図１ないし図３において下方に引っ張る付勢手段として機能し、図２の状態では移動支持枠１７の上端１７ｂを支持体１５側に近づけるように機能する。これに対して、図２の手Ｈにより、送風手段１３が押し込まれると、図３に示すように本体１１の下降にともないコイルスプリング１９は縮んで、本体１１内では移動支持枠１７の上端１７ｂが上昇し、これによって、シート状の振動体１８は引き延ばされることによって、張力が大きくなるようになっている。
【００３７】
これにより、後述するように、使用者のバンギング動作により送風手段１３によって空気が送られると、シート状の振動体１８が、次第にその張力を大きくされながら振動して、上述した基本音に対応した周波数で音を出すようになっている。
すなわち、基本音生成手段は、送風手段からの送風を導く通風孔とこの通風孔を塞ぐようにして固定配置され、その固定張力を変化させるようにしたシート状の振動体とを備えているのである。
このような基本音生成手段１４は、その筒状部１５ｂを図２及び図３に示すように共鳴手段１２の基端部開口１１ａにはめ込むように固定されている。
【００３８】
本実施形態は以上のように構成されており、次のその動作を説明する。
このマザリーズ類似音生成装置１０は、図２に示す状態から送風手段１３の上部を使用者の手Ｈが、例えば、バンギング動作することにより下方，すなわち矢印方向に押すと、その内部空間の空気が本体１１の内部空間ＳＰ１に入り込む。
そして、この送風手段１３の動きは、図３に示すように蛇腹構造の下死点において停止するので、この間の動きが発声する音声の音長と対応する。この音長は、使用者の動作により多少変動する。このましくは、この音長は、２５０ミリ秒から６００ミリ秒の範囲で設定され、本実施形態では、例えば４００ミリ秒程度に設定される。
【００３９】
送風手段１３の作用により、本体１１内の空気は、基本音生成手段１４を通って、共鳴手段１２に流れ込む。
この時、空気は、図４及び図５で説明した、通風孔１５ｃと振動体１８との間の隙間を通過しながら、振動体１８を振動させる。この振動は、図２において、送風手段１３が始動される当初は、例えば３００ヘルツ付近の周波数に対応した振動に設定されている。このシート状の振動体１８と通風孔１５ｃの隙間を通った空気の振動により、図１３に示されたような倍音構造を有する基本音が生成される。
【００４０】
そして、送風手段１３の蛇腹が押し込まれるにしたがって、本体１１が下降して、付勢手段としてのコイルスプリング１９が縮むことで、本体１１内では図３の移動支持枠１７が上昇する。
これにより、基本音生成手段１４の振動体１８は、移動支持枠１７の上方への動きにより引っ張られて、その張力が強められることにより、上記送風の通過による振動数が増加する。すなわち、振動体１８の振動に基づく周波数は上昇し、図３の状態においては、上限として設定された例えば６００ヘルツ付近の振動となる。このように、基本音生成手段１４は、人間の声帯が徐々に高い音に連続的に変化する変化音を発声するのと同等に機能する。
【００４１】
これにより、基本音生成手段１４により生成された変化音に対応した空気の疎密波は、共鳴手段１２内に入り込んで、人間の口腔内で音が響くようにして、その内部空間ＳＰ２内で共鳴する。この時、共鳴手段１２は、「ア」の音を発声した時の人間の声道に近似した機能を発揮するように形成されているため、図１４で示す声道の伝達特性を有していることから、この共鳴手段１２を通った基本音は、図１６に示されるようなマザリーズの特徴を有する倍音構造とされる。
【００４２】
以上により、マザリーズ類似音生成装置１０によれば、所定の周波数の基本音とその倍音の構造を有し、さらに所定の短い音長を備えた，すなわちマザリーズとしての特徴を備えた類似音が生成されることになる。
このマザリーズ類似音は、特に、例えば月齢１０か月程度までの乳児の関心を強く引きつけることができ、その発達段階に対応した音声玩具等に好適に応用することが可能である。
【００４３】
しかも、このマザリーズ類似音生成装置１０は、その起動手段１３が乳児のリズミカルな手の動きに対応して起動されるようになっている。これにより、使用者が喃語を発するのと同期して、身体上半身を使ったリズミカルな運動をする。これにより、マザリーズの類似音が生成されると、その音に関心を示し、その音に触発されて喃語を発声して、同時に身体上半身を使ったリズミカルな運動をするといった、一連の気に入った遊びを形成することができ、これにより、喃語発声が促進されて、言語発達に役立てることができる。
【００４４】
ここで、本発明の実施形態と比較して、例えば、従来広く使用されているソプラノ笛（たて笛）の音と比べると、ソプラノ笛の音は基本周波数Ｆ０が約５２０ヘルツと高く、あまり共鳴しないので倍音構造はすくない。また、音階による意識的な操作を行わなければ変化音を出すことができないし、音階であるから、連続的な変化にはならない。玩具の笛では、基本周波数Ｆ０が約８５０ヘルツとさらに高く、やはり共鳴は少ないといった音声特性が確認されている。
したがって、本実施形態の装置では、これらの従来の笛や玩具と比べて、はるかにマザリーズの特性に近い音声を生成することができる。
【００４５】
図１７は、マザリーズ類似音生成装置の本発明に含まれない参考例を示す概略斜視図である。
図において、マザリーズ類似音生成装置３０は、本体３１とスイッチング手段を内蔵した端部３２を有している。
本体３１は、特定の長い構造を有しており、乳児の手Ｈにより把持しやすい構成を備えている。この本体３１を握ることで、乳児に特有のバンギング動作を装置側へ伝えることができるようになっている。
【００４６】
この参考例では、端部３２にスイッチング手段３５が内蔵されている。スイッチング手段３５は、本体３１の延びる方向と直交する方向に延びる端部３２内に形成された空間３３と、この空間３３内を上記バンギング動作に対応して移動する移動体３４を備えている。移動体３４は、バンギング動作に適するようにあまり重すぎない重量を備えており、この移動体３４には、スイッチング手段３５と一方の接点３５ｂが設けられている。また、内部空間３３内の移動体側接点３５ｂと対向する位置には、他方の接点３５ａが露出されている。
これにより、使用者のバンギング動作にしたがって、移動体３４は空間３３内を矢印Ａ方向に移動し、スイッチング手段３５の一方の接点３５ｂと他方の接点３５ａがオンオフされるようになっている。
【００４７】
図１８は、マザリーズ類似音生成装置３０の電気的構成を示している。本実施形態では、上記スイッチング手段３５は、本体３１または端部３２に内蔵された音声信号生成部３９に接続されており、この音声生成部３９は、マザリーズ類似音を出力するスピーカ３８に接続されている。このスピーカ３８は、図１３の本体３１に設けられるか、端部３１に設けられる。
【００４８】
上記音声生成部３９は、スイッチング手段３５により起動される。音声生成部３９は、例えば、集積回路（ＩＣ）により、形成されており、予め記憶された上述したような特徴を有するマザリーズもしくはマザリーズ類似音に対応する音声信号が記録されている。音声生成部３９の信号がスピーカ３８に入力されることにより、スピーカ３８は上述した特徴を備えたマザリーズ類似音を出力することができるようになっている。
【００４９】
本参考例は以上のように構成されており、使用者が本体３１を手Ｈで握って、バンギング動作することにより、スイッチング手段３５の一方の接点３５ｂと他方の接点３５ａが閉じられると、音声発声部３９からマザリーズに対応した音声信号がスピーカ３８に入力される。これにより、乳児のバンギング動作に対応して、スピーカ３８からマザリーズ類似音が発生されることなる。
【００５０】
図１９は、本発明のさらに別の参考例を示している。
図において、マザリーズ類似音生成装置４０は、入力部４１を備えている。入力部４１は、マザリーズではない人の音声や、音声信号，あるいは、各種コンテンツに基づく音声信号やビデオ信号等から分離された音声信号を入力する手段である。入力手段４１は、機器本体に内蔵された音声信号生成部４２に接続されており、この音声生成部４２は、マザリーズ類似音を出力するスピーカ３８に接続されている。
【００５１】
上記音声生成部４２は、入力手段４１から入力される音声信号を、所定の基本周波数をもつ基本音に対応する信号を設定する基本音設定部３７ａと、この基本音信号が入力され、基本音を基準音とする基準音設定部３７ｂと、この基準音信号が入力され、当該基準音ついて、ほぼ１オクターブ以内の範囲にて上昇及び／または下降する変化音を生成するマザリーズ類似音信号の生成手段３７ｃとを備えている。
この音声生成部４２は、例えば集積回路（ＩＣ）により構成することができる。これにより、音声生成部４２は、入力手段４１から入力される音声信号を変換して、マザリーズ類似音信号の生成手段３７ｃの信号がスピーカ３８に入力されることにより、スピーカ３８は上述した特徴を備えたマザリーズ類似音に変換して出力することができるようになっている。
【００５２】
本発明は上述の実施形態に限定されない。上述した実施形態の各要素はその一部を省略したり、他の形態と組み合わせてもよい。
【００５３】
【発明の効果】
以上述べたように、本発明によれば、特に乳児の関心をひくことができるマザリーズに類似した音を、乳児の動作との関係で生成してその言語発達の過程を適切に促進できるマザリーズ類似音生成装置を提供することができる。
【図面の簡単な説明】
【図１】  マザリーズ類似音生成装置の第１の実施形態の全体を示す概略斜視図である。
【図２】  図１のマザリーズ類似音生成装置の全体を示す概略側断面図である。
【図３】  図１のマザリーズ類似音生成装置の全体を示す概略側断面図である。
【図４】  図１のマザリーズ類似音生成装置の基本音生成手段の支持体の概略斜視図である。
【図５】  図１のマザリーズ類似音生成装置の基本音生成手段の支持体の水平方向の概略断面図である。
【図６】  図１のマザリーズ類似音生成装置の本体１１内の基本音生成手段の構成を示す要部斜視図である。
【図７】  マザリーズの声紋をしめすオシロ波形図である。
【図８】  図８の声紋の基本周波数を示すグラフである。
【図９】  図７の音声の音圧を示すグラフである。
【図１０】  図７の音声の倍音を示すグラフである。
【図１１】  図７の音声の倍音を周波数のスケールを拡大して示すグラフである。
【図１２】  図１０の音声の音圧を示すグラフである。
【図１３】  人の声に関連して基本音の倍音構造を音源波スペクトルで示す図である。
【図１４】  人の製造の伝達関数を示す図である。
【図１５】  開放された空間の伝達関数を示す図である。
【図１６】  マザリーズ類似音の音声スペクトルを説明するための図である。
【図１７】  マザリーズ類似音生成装置の参考例の全体を示す概略斜視図である。
【図１８】  図１６のマザリーズ類似音生成装置の電気的構成を示すブロック図である。
【図１９】  マザリーズ類似音変換装置の構成を示すブロック図である。
【図１】
0004049539.tif 000002
【図２】
0004049539.tif 000003
【図３】
0004049539.tif 000004
【図４】
0004049539.tif 000005
【図５】
0004049539.tif 000006
【図６】
0004049539.tif 000007
【図７】
0004049539.tif 000008
【図８】
0004049539.tif 000009
【図９】
0004049539.tif 000010
【図１０】
0004049539.tif 000011
【図１１】
0004049539.tif 000012
【図１２】
0004049539.tif 000013
【図１３】
0004049539.tif 000014
【図１４】
0004049539.tif 000015
【図１５】
0004049539.tif 000016
【図１６】
0004049539.tif 000017
【図１７】
0004049539.tif 000018
【図１８】
0004049539.tif 000019
【図１９】
0004049539.tif 000020